(57)【要約】ボトル、容器および他の物品は、アンチモン、カーボンブラック、グラファイト、チタン、銅、マンガン、鉄、タングステン、グラファイト、赤外線吸収染料または他の赤外線吸収材料のような、再加熱剤を含むポリプロピレン組成物から形成される。ポリプロピレン組成物の再加熱時間は射出延伸ブロー成形または熱成形について短縮され、再加熱剤入りポリプロピレン顆粒組成物は、添加された再加熱剤なしのポリプロピレン顆粒対照についてのＬ＊値の少なくとも８０％である、ガードナー色試験によって測定されるＬ＊値を有する。再加熱剤は、次亜リン酸のような還元剤によるアンチモントリグリコレートのような金属化合物のインサイチュー化学的還元によってポリプロピレン組成物中へ組み入れられてもよい。さらに、再加熱剤剤入りポリプロピレン組成物は高濃度の再加熱剤入りポリプロピレン・マスターバッチから誘導されてもよい。
2006520709.tif 000002
【特許請求の範囲】
【請求項１】
（ａ）再加熱剤を含有するポリプロピレン組成物からプリフォームを形成する工程と、
（ｂ）前記プリフォームが所望の温度に達する時間が前記再加熱剤なしのポリプロピレン組成物から形成されている等しい寸法の対照プリフォームを所望の温度に再加熱するための時間より少ない、前記プリフォームを所望の温度に再加熱する工程と、
（ｃ）前記再加熱されたプリフォームを射出延伸ブロー成形してボトルを形成する工程と
を含むポリプロピレンボトルの射出延伸成形法であって、
再加熱剤を含有する前記ポリプロピレン組成物が、前記プリフォームを形成する前に顆粒形にある時に、前記再加熱剤の不存在下での顆粒形のポリプロピレン組成物のＬ＊値の少なくとも約８０％である、ガードナー（Ｇａｒｄｎｅｒ）色試験によって測定されるＬ＊値を有することを特徴とする方法。
【請求項２】
前記再加熱剤が１つまたは複数の金属粒子を含み、かつ、前記金属粒子がアンチモン、チタン、銅、マンガン、鉄およびタングステンの１つまたは複数よりなる群から選択されることを特徴とする請求項１に記載の方法。
【請求項３】
前記再加熱剤がカーボンブラック、グラファイトまたは赤外線染料を含むことを特徴とする請求項１に記載の方法。
【請求項４】
前記再加熱剤が１０ｎｍ〜１００ミクロンの範囲のサイズを有する粒子の形で、かつ、２ｐｐｍ〜１０００ｐｐｍの範囲の量でポリプロピレン組成物中へ組み入れられることを特徴とする請求項１に記載の方法。
【請求項５】
前記再加熱剤が１０ｎｍ〜１０ミクロンの範囲のサイズを有する粒子の形で、かつ、２ｐｐｍ〜５０ｐｐｍの範囲の量でポリプロピレン組成物中へ組み入れられることを特徴とする請求項１に記載の方法。
【請求項６】
前記再加熱剤が、還元剤による金属化合物のインサイチュー化学的還元によって前記ポリプロピレン組成物内に生成されることを特徴とする請求項１に記載の方法。
【請求項７】
前記金属化合物がアンチモン、チタン、銅、マンガン、鉄およびタングステンの１つまたは複数を含有し、かつ、前記還元剤が有機亜リン酸、無機亜リン酸、タンニン酸、没食子酸、およびピロガル酸、ヒドラジン、亜硫酸塩、錫ＩＩ塩ならびに水酸化ニッケルの１つまたは複数よりなる群から選択されることを特徴とする請求項６に記載の方法。
【請求項８】
前記金属化合物がアンチモントリグリコレートであり、かつ、前記還元剤が次亜リン酸であることを特徴とする請求項６に記載の方法。
【請求項９】
前記再加熱剤が１０ｎｍ〜１００ミクロンの範囲のサイズを有する粒子の形で、かつ、５０ｐｐｍ〜２５，０００ｐｐｍの範囲の量で前記ポリプロピレン組成物中へ組み入れられてポリプロピレン・マスターバッチを形成することを特徴とする請求項１に記載の方法。
【請求項１０】
請求項１に記載の方法に従って製造されることを特徴とするポリプロピレンボトル。
【請求項１１】
ポリプロピレン組成物を形成するためのポリプロピレン中への再加熱剤の反応押出配合であって、前記再加熱剤が還元剤による金属のインサイチュー化学的還元によって生成される配合
を含むことを特徴とする再加熱剤を含有するポリプロピレン組成物の製造方法。
【請求項１２】
前記再加熱剤が１つまたは複数の金属粒子を含み、かつ、前記金属粒子がアンチモン、チタン、銅、マンガン、鉄およびタングステンの１つまたは複数よりなる群から選択されることを特徴とする請求項１１に記載の方法。
【請求項１３】
前記再加熱剤が１０ｎｍ〜１００ミクロンの範囲のサイズを有する粒子の形で、かつ、２ｐｐｍ〜１０００ｐｐｍの範囲の量で前記ポリプロピレン中へ組み入れられることを特徴とする請求項１１に記載の方法。
【請求項１４】
前記再加熱剤が１０ｎｍ〜１０ミクロンの範囲の粒度を有する粒子の形で、かつ、２〜３５０ｐｐｍの範囲の量で前記ポリプロピレン中へ組み入れられることを特徴とする請求項１１に記載の方法。
【請求項１５】
前記再加熱剤が１０ｎｍ〜１００ミクロンの範囲の粒度を有する粒子の形で、かつ、５０〜２５，０００ｐｐｍの範囲の量で前記ポリプロピレン中へ組み入れられてポリプロピレン・マスターバッチを形成することを特徴とする請求項１１に記載の方法。
【請求項１６】
前記金属化合物がアンチモン、チタン、銅、マンガン、鉄およびタングステンの１つまたは複数を含有し、かつ、前記還元剤が有機亜リン酸、無機亜リン酸、タンニン酸、没食子酸、およびピロガル酸、ヒドラジン、亜硫酸塩、錫ＩＩ塩ならびに水酸化ニッケルの１つまたは複数よりなる群から選択されることを特徴とする請求項１１に記載の方法。
【請求項１７】
前記金属化合物がアンチモントリグリコレートであり、かつ、前記還元剤が次亜リン酸であることを特徴とする請求項１１に記載の方法。
【請求項１８】
請求項１１に記載の方法に従って製造されることを特徴とするポリプロピレン組成物。
【請求項１９】
請求項１１に記載の方法に従って製造されたポリプロピレン組成物から形成されることを特徴とするポリプロピレンボトル。
【請求項２０】
請求項１５に記載の方法に従って製造されることを特徴とするポリプロピレン・マスターバッチ。
【請求項２１】
（ａ）再加熱剤を含有するポリプロピレン組成物からシートを形成する工程と、
（ｂ）前記シートが所望の温度に達する時間が前記再加熱剤の不存在下でのポリプロピレン組成物から形成されている等しい寸法の対照シートを所望の温度に再加熱するための時間より少ない、前記シートを所望の温度に再加熱する工程と、
（ｃ）前記再加熱されたシートをポリプロピレン物品へ成形する工程と
を含むことを特徴とするポリプロピレン物品の形成方法。
【請求項２２】
前記再加熱剤が１つまたは複数の金属粒子を含み、かつ、前記金属粒子がアンチモン、チタン、銅、マンガン、鉄およびタングステンの１つまたは複数よりなる群から選択されることを特徴とする請求項２１に記載の方法。
【請求項２３】
前記再加熱剤がカーボンブラック、グラファイトまたは赤外線染料を含むことを特徴とする請求項２１に記載の方法。
【請求項２４】
前記再加熱剤が１０ｎｍ〜１００ミクロンの範囲のサイズを有する粒子の形で、かつ、２ｐｐｍ〜１０００ｐｐｍの範囲の量で前記ポリプロピレン組成物中へ組み入れられることを特徴とする請求項２１に記載の方法。
【請求項２５】
前記再加熱剤が１０ｎｍ〜１０ミクロンの範囲のサイズを有する粒子の形で、かつ、２ｐｐｍ〜５０ｐｐｍの範囲の量で前記ポリプロピレン組成物中へ組み入れられることを特徴とする請求項２１に記載の方法。
【請求項２６】
前記再加熱剤が還元剤による金属化合物のインサイチュー化学的還元によって前記ポリプロピレン組成物内に生成されることを特徴とする請求項２１に記載の方法。
【請求項２７】
前記金属化合物がアンチモン、チタン、銅、マンガン、鉄およびタングステンの１つまたは複数を含有し、かつ、前記還元剤が有機亜リン酸、無機亜リン酸、タンニン酸、没食子酸、およびピロガル酸、ヒドラジン、亜硫酸塩、錫ＩＩ塩ならびに水酸化ニッケルの１つまたは複数よりなる群から選択されることを特徴とする請求項２６に記載の方法。
【請求項２８】
前記金属化合物がアンチモントリグリコレートであり、かつ、前記還元剤が次亜リン酸であることを特徴とする請求項２６に記載の方法。
【請求項２９】
前記再加熱剤が１０ｎｍ〜１００ミクロンの範囲のサイズを有する粒子の形で、かつ、５０ｐｐｍ〜２５，０００ｐｐｍの範囲の量で前記ポリプロピレン組成物中へ組み入れられてポリプロピレン・マスターバッチを形成することを特徴とする請求項２１に記載の方法。
【請求項３０】
請求項２１に記載の方法に従って製造されることを特徴とする３次元ポリプロピレン物品。
【請求項３１】
請求項２１に記載の方法に従って製造されることを特徴とする２次元ポリプロピレン物品。
【発明の詳細な説明】
【技術分野】
【０００１】
本発明は、特に射出延伸ブロー成形および熱成形技術による、ポリプロピレンポリマー組成物からのボトル、容器および他の物品の製造に関する。
【背景技術】
【０００２】
ポリエチレンテレフタレートまたはそのコポリマー（以下まとめて「ＰＥＴ」と言われる）のようなポリエステル組成物は周知の包装材料である。例えば、米国特許公報（特許文献１）で、ＰＥＴ組成物は様々な成形法によって飲料ボトルおよび他の容器（以下「ボトル」と言われる）を製造するために使用されている。
【０００３】
ほとんどの飲料用途向けサイズおよび形状の現行方式ＰＥＴボトルは、通常、射出延伸ブロー成形技術によって製造されている。射出延伸ブロー成形は２つの主工程を有する。第１工程で、顆粒の形のＰＥＴは射出成形機で溶融され、溶融物が冷却された金型中へ射出されて「プリフォーム」として知られる最終ボトルの前駆体を形成する。一般に、プリフォームは約８〜２０ｃｍ短縮ボトル本体形状長さおよび３ｍｍ〜６ｍｍの材料厚さと共にネジ山の付いた首を有する。第２工程で、プリフォームは延伸ブロー成形機に移され、そこでその外面は赤外（ＩＲ）ランプによって再加熱される。いったんプリフォームが所望の温度に達すると、それは延伸されブローされて最終ボトルを形成する。
【０００４】
プリフォームを再加熱するために要する時間は全体工程にとって律速因子である。プリフォームは周囲温度でスタートし、延伸−ブロー工程がうまくいくことを可能にするのに十分なほどプリフォームが柔軟性になるように、ポリエステルのガラス転移温度より上に（一般に約１１０℃に）加熱されなければならない。一般に、ポリエステルポリマーはＩＲ放射線を吸収するのに不満足な能力を有する。従って、全体生産時間を延ばすだけでなく、プリフォーム再加熱工程はまたかなりの量のエネルギーを必要とする。この問題に取り組むために、幾つかの先行特許は、ＰＥＴ組成物への黒色材料および／または金属粒子の添加が再加熱に必要とされる時間とエネルギーとを減らし得ることを教示してきた。従って、先行特許は、ＰＥＴプリフォーム再加熱時間を減らすためにカーボンブラック（米国特許公報（特許文献２））、酸化鉄（米国特許公報（特許文献３））、ならびにアンチモンおよび他の金属粒子（米国特許公報（特許文献４）および米国特許公報（特許文献５））を添加することを教示している。ほとんどの延伸ブロー成形機でＩＲランプによって発せられる赤外線波長、例えば、５００ｎｍ〜２０００ｎｍでまたはその近くでアンチモン金属粒子は放射線を優先的に吸収するので、かかる粒子が好ましいと示唆された。さらに、米国特許公報（特許文献４）および米国特許公報（特許文献５）に記載されているように、 アンチモン化合物は通常ポリエステル組成物そのものの中に（溶融重合のための触媒として）存在し、製造の溶融重合段階での還元剤の添加によって、所望のＩＲ吸収特性を持ったアンチモン金属粒子に変換することができる。
【０００５】
ＰＥＴは、飲料ボトル向けに広範囲の用途を見いだしてきたが、ＰＥＴを製造するための原料のコストは、幾つかの非ＰＥＴポリマーについてよりはるかに高い。それ故、業界はＰＥＴからより低コスト代替物に切り替えることを絶えず追求している。これらの代替物を追求しているが、容器製造業者は、新たなポリマー材料を加工するための新しい資本設備に実質的資源を投資することを欲しておらず、彼らの既存のＰＥＴ射出ブロー成形設備を新たな材料での使用に適合させることを好むであろう。
【０００６】
飲料ボトルの射出延伸ブロー成形での使用のためのＰＥＴの可能な一代替物はポリプロピレンである。米国特許公報（特許文献６）は、プリフォームが外側および内側の両方から同時に加熱される場合ポリプロピレン・プリフォームの射出延伸ブロー成形が可能であることを教示している。それにもかかわらず、この方法によってポリプロピレンから満足のいく飲料ボトルを製造することはこれまでより困難であった。第１に、ポリプロピレンはＰＥＴより低い密度および比熱を有し、従って著しくより狭い加工時間枠を示す。第２に、ポリプロピレンは、ＩＲ放射線を吸収するその不満足な能力の観点からＰＥＴと同じ制限を受ける。さらに、ポリプロピレンはＰＥＴより大きい不透明度を一般に有し、それはその美的外観を損なう。業界は従って、ポリプロピレンがＰＥＴと同じ射出延伸ブロー成形設備で飲料ボトルを製造するために使用できるおよび／または他の熱成形物品を製造するために使用できるようにポリプロピレンのＩＲ吸収特性を改善するための方法を追求し続けている。
【０００７】
【特許文献１】米国特許第４，３４０，７２１号明細書
【特許文献２】米国特許第４，４７６，２７２号明細書
【特許文献３】米国特許第４，２５０，０７８号明細書
【特許文献４】米国特許第５，４１９，９３６号明細書
【特許文献５】米国特許第５，５２９，７４４号明細書
【特許文献６】米国特許第６，２５８，３１３号明細書
【発明の開示】
【課題を解決するための手段】
【０００８】
第１態様では、本発明は、再加熱剤を含有するポリプロピレン組成物を含むプリフォームからのポリプロピレンボトルの射出延伸ブロー成形法である。再加熱剤は、アンチモン、チタン、銅、マンガン、鉄およびタングステンの１つまたは複数の金属粒子であってもよく、ここでアンチモンが最も好ましい。再加熱剤はまた、カーボンブラック、グラファイト、赤外線吸収染料または他の赤外線吸収材料の粒子であってもよい。
【０００９】
プリフォームは、通常１つまたは複数の加熱ランプでの加熱によって、所望の再加熱温度に再加熱される。プリフォームを再加熱するための時間は、再加熱剤なしのポリプロピレン組成物から形成された等しい寸法の対照プリフォームを再加熱するために時間より短い。プリフォームを製造するために使用されるポリマー顆粒は、対照プリフォームを製造するために使用されるポリマー顆粒のＬ＊値の少なくとも約８０％のＬ＊値を有する。Ｌ＊値はガードナー（Ｇａｒｄｎｅｒ）色試験によって測定される。例えば、対照ポリプロピレン組成物顆粒が約７５のＬ＊値を有する場合、本発明に従ってプリフォームを製造するために使用される顆粒は約６０またはそれ以上のＬ＊値を有する。Ｌ＊値が対照のＬ＊値に近ければ近いほど、最終ボトルは対照ポリプロピレンから製造されたボトルの色／美観に一層似るであろう。
【００１０】
好ましくは、再加熱剤は、約１０ナノメートル（ｎｍ）〜約１００マイクロメートルの範囲の、より好ましくは１０ｎｍ〜１０ミクロンの範囲の粒度を有する粒子の形でポリプロピレン中へ組み入れられる。好ましくは、再加熱剤粒子は、約２ｐｐｍ〜１０００ｐｐｍ、より好ましくは２ｐｐｍ〜３５０ｐｐｍ、最も好ましくは２ｐｐｍ〜５０ｐｐｍの範囲の量でポリプロピレン中へ組み入れられる。再加熱剤粒子はまた、１０ｎｍ〜１００ミクロンの範囲のサイズを有する粒子の形で、および５０ｐｐｍ〜２５，０００ｐｐｍの範囲の量でポリプロピレン組成物中へ組み入れられてポリプロピレン・マスターバッチを形成してもよい。次に、マスターバッチは他のポリプロピレン組成物（恐らく再加熱剤なしか、または異なる再加熱剤もしくは異なる割合の同じ再加熱剤を含有するかの）とブレンドされて所望の割合の再加熱剤入りポリプロピレン組成物を形成してもよい。
【００１１】
さらに、再加熱剤は、還元剤による金属化合物のインサイチュー化学的還元によってポリプロピレン組成物内で生成されてもよい。
【００１２】
このように、金属化合物はアンチモン、チタン、銅、マンガン、鉄およびタングステンの１つまたは複数を含有することができ、還元剤は１つまたは複数の有機亜リン酸もしくは無機亜リン酸、またはタンニン酸、没食子酸、およびピロガル酸、またはヒドラジン、または亜硫酸塩、または錫ＩＩ塩、水酸化ニッケル、または金属化合物を金属状態に還元するのに十分な電気化学ポテンシャルを持った任意の有機もしくは無機化合物であることができる。好ましくは、金属化合物はアンチモントリグリコレートであり、かつ、還元剤は次亜リン酸である。
【００１３】
再加熱剤入りポリプロピレン組成物から製造されたプリフォーム、ポリプロピレンボトルおよび他のポリプロピレン物品もまた特許請求される。他のポリプロピレン物品の例には、カップまたは給仕トレーまたは食品容器のような３次元物品、およびシートのような２次元物品が挙げられる。最終物品の所望の美観に依存して、これらの他のポリプロピレン物品を形成するために使用される再加熱剤入りポリプロピレン顆粒のＬ＊値は、ボトルへ射出延伸ブロー成形されるボトルプリフォームを形成するために使用される組成物のＬ＊についての好ましい範囲の外側であってもよい。
【００１４】
本発明は、次の図面に関して次の詳細な説明で記載されるであろう。
【発明を実施するための最良の形態】
【００１５】
本発明は、良好な色質および透明度の、延伸ブロー成形容器、特にボトルの製造に有用であるポリプロピレン組成物に関する。かかる組成物はまた、熱成形のような他の２工程技術で他のポリプロピレン容器およびポリプロピレン物品を製造するために使用されてもよい。ポリプロピレン組成物は、ＰＥＴ射出延伸ブロー成形でのＩＲ加熱で用いられる赤外ランプからの放射線の典型的な波長である５００ｎｍ〜２０００ｎｍの波長範囲の放射線を本質的に吸収するある種の金属粒子を再加熱剤として含有する。金属粒子は、射出延伸ブロー成形または熱成形中に所望の温度にポリプロピレン組成物のプリフォームを再加熱するためにさもなければ必要とされるであろう再加熱時間を減らすのに十分な量で存在する。再加熱剤入りのかかるポリプロピレン組成物はそれでもなお所望の最終使用用途に許容される色および透明度を有する。
【００１６】
先ず図１Ａ〜１Ｄについて言及すると、公知の射出延伸ブロー成形法は幾つかの工程を含む。第１に、図１Ａに示されるような射出成形プリフォーム１０は、ネジ山の付いた首部分１２とボトル本体部分１４とを有する。プリフォーム１０は、再加熱剤を含有するポリプロピレン組成物か、再加熱剤なしのポリマー顆粒と混合される再加熱剤コンセントレートマスターバッチの顆粒かのどちらかから射出成形される。最も一般には、各ポリプロピレン顆粒は長さが２．５〜４．０ｍｍ、直径が２．０〜３．０ｍｍである。ポリプロピレン組成物またはポリプロピレン顆粒の混合物は、組成物／顆粒を溶融するために加熱されて流動性ポリマー溶融物を形成し、それは射出によって金型中へ導入される。射出金型は、所望の輪郭形状へとプリフォームを成形するための空洞と合わせラムとを有する。プリフォーム１０は金型から取り出され、冷却され、ボトルへ成形される準備ができるまで保管される。
【００１７】
図１Ｂに示されるように、プリフォーム１０は次に固定具１８上方に設置され、再加熱または予熱空洞２０内に保持される。１つのまたは一連のランプであってもよい加熱ランプ２２は、プリフォーム１０が固定具１８上で回転される時にプリフォーム１０の外面を加熱する赤外放射線を発する。ＰＥＴボトルを形成する時には外側からだけの加熱が最も一般的な技術であるけれども、再加熱は、図１Ｂに示されるようにプリフォームの外側から、プリフォームの内側から、またはプリフォームの外側および内側の両方から行うことができる。
【００１８】
プリフォーム１０が所望の温度に達した時、再加熱されたプリフォーム１０はその時延伸ブロー成形の準備完了である。次に、図１Ｃおよび１Ｄについて言及すると、再加熱されたプリフォーム１０付き固定具１８は、ポリマー材料をボトルへ成形するための輪郭を有する金型空洞３０内に保持される。プッシュロッド３２がポリマー材料を外に向かって膨らむように促して金型の内輪郭と合わせる時に、空気または窒素のようなガスが固定具１８のノズルを通ってプリフォーム１０の内容積中へ注入される。いったん射出延伸ブロー成形が完了したら、完成ボトル（示されていない）は金型から取り出される。一態様では、本発明は、ＰＥＴの射出延伸ブロー成形のために業界で今一般に用いられている装置を用いるポリプロピレン組成物の射出延伸ブロー成形に関する。
【００１９】
本発明に従って再加熱時間を減らすためにポリプロピレン組成物に添加される再加熱剤には、アンチモン（Ｓｂ）、マンガン（Ｍｎ）、鉄（Ｆｅ）、カーボンブラック、グラファイト、赤外線染料、チタン（Ｔｉ）、タングステン（Ｗ）、および銅（Ｃｕ）が含まれる。アンチモンおよびカーボンブラックが好ましい再加熱剤であり、アンチモンが特に好ましい。再加熱剤は、約２ｐｐｍ〜約１０００ｐｐｍ、より好ましくは約２ｐｐｍ〜３５０ｐｐｍ、最も好ましくは約２ｐｐｍ〜５０ｐｐｍの量で、および約１０ｎｍ〜約１００ミクロンの範囲の、最も好ましくは１０ｎｍ〜１０ミクロンの範囲の粒度でポリプロピレン組成物に好ましくは添加される。
【００２０】
再加熱剤は、多くの方法でポリプロピレン組成物中へ組み入れられてもよい。１代替案として、再加熱剤は、プリフォームを形成するために混合物を射出金型に導入する前にポリプロピレン顆粒と直接混合されてもよい。別のもっと好ましい代替案として、再加熱剤は、射出成形機に導入する前に、ポリプロピレン顆粒と直接混合し、二軸スクリュー配合押出機または類似構成要素の装置を通過させてよく分散され分配されたポリプロピレン配合物を形成することができる。代わりのより好ましい代替案として、再加熱剤は、還元剤による金属化合物のインサイチュー化学的還元によってポリプロピレン組成物内に生成することができる。第４の、さらにより好ましい代替案として、再加熱剤は、上記代替案の１つによって、しかし高濃度でポリプロピレン組成物中へ組み入れてマスターバッチ顆粒を形成することができる。次に、かかるマスターバッチ顆粒は、異なる濃度の再加熱剤を有するもしくは何の再加熱剤もないまたはある濃度の異なる再加熱剤を有するポリプロピレン顆粒とブレンドして所望の濃度で１つまたは複数の再加熱剤を含有する所望のポリプロピレン組成物を形成してもよい。例えば、ポリプロピレン・マスターバッチは１０ｎｍ〜１００ミクロンの範囲の、好ましくは１０ミクロン未満のサイズを有する粒子の形で、および５０ｐｐｍ〜２５，０００ｐｐｍの範囲の、好ましくは１２５０ｐｐｍ未満の量で再加熱剤を組み入れてもよい。
【００２１】
ポリプロピレン組成物中での再加熱剤分配および分散の程度は、再加熱効能に影響を及ぼす。換言すると、再加熱剤がポリマー中により均一に分配され、より広く分散されていればいるほど、再加熱効能は良好になる。同様に、ポリマー中の再加熱剤のより良好な分配および分散はポリマーの美観を改善する。
【００２２】
より好ましい実施形態の１つでは、再加熱剤は還元剤による金属化合物のインサイチュー化学的還元によって形成される。金属化合物はアンチモン、チタン、銅、マンガン、鉄およびタングステンの１つまたは複数を好ましくは含有し、還元剤は有機亜リン酸、無機亜リン酸、タンニン酸、没食子酸、およびピロガル酸、ヒドラジン、亜硫酸塩、錫ＩＩ塩ならびに水酸化ニッケル、または金属化合物を金属状態に還元するのに十分な電気化学ポテンシャルを持った任意の有機もしくは無機化合物の１つまたは複数よりなる群から好ましくは選択される。
【００２３】
再加熱剤としてのアンチモンは、次亜リン酸または他の有機亜リン酸または無機亜リン酸のような還元剤によるアンチモン化合物のインサイチュー化学的還元によって好ましくは形成される。好ましいアンチモン化合物には、アンチモントリグリコレート（ＡＴＧ）、三酢酸アンチモン（ＡＴＡ）または三酸化アンチモン（ＡＴＯ）が含まれる。次亜リン酸はアンチモン化合物をアンチモンに還元し、それはポリプロピレン組成物中に分散される。アンチモン粒子は、このようにポリプロピレン組成物中へ導入された時により一様に分散されるように見える。特に、本発明らは、ＡＴＡ、ＡＴＯまたはＡＴＧと次亜リン酸および／または亜リン酸との反応によって沈積されたアンチモン粒子が特に有利な粒度を有し、かつ、ポリプロピレン中に特によく分散されることを発見した。
【００２４】
本発明は、ボトルのようなポリプロピレン容器、および再加熱剤なしのポリプロピレン組成物に似た美観特性を有する他のポリプロピレン物品の製造方法を提供する。同時に、本方法はまた、再加熱剤なしのポリプロピレン組成物に比べて再加熱のためのエネルギー必要量を減らす。当面の一利点は、サイクル時間の減少またはエネルギー削減によるコスト削減である。本発明のさらに別の利点は、ポリプロピレンが殺菌またはクリーニングのような後の加工でＰＥＴより高い温度で使用できることである。さらに、ポリプロピレンはＰＥＴと同程度リサイクル可能である。
【００２５】
次の実施例は本発明をさらに例示する。すべての部および百分率は、特に明記しない限り重量で表される。
【実施例】
【００２６】
再加熱温度の２つの測定方法を、異なる再加熱剤を含有するポリプロピレン組成物について再加熱時間を評価するために用いた。第１に、射出成形プラークをポリプロピレン組成物から形成し、かかるプラークについての貫通加熱時間を下に記載する手順に従って測定した。第２に、プラークをポリプロピレン組成物から成形し、かかるプラークについての表面再加熱時間を下に記載する手順に従って測定した。
【００２７】
（ポリプロピレン・マスターバッチ組成物の調製）
長さ約２．５〜４．０ｍｍ、および直径２．０〜３．０ｍｍのサイズのポリプロピレンポリマー顆粒を次の手順に従って再加熱剤と混合した。先ず、約５〜７ｋｇポリプロピレンポリマーを流動パラフィン（約２０ｍｌ）とプラスチック袋中で混合した。袋中のポリマーを混転させてポリマー顆粒をオイルの薄膜で被覆した。次に、再加熱剤を袋に加え、混合物を再び混転させた。次に、被覆したポリプロピレンポリマー顆粒を、ＡＰＶ  ＭＰ２０３０二軸スクリュー押出機、引き続き４セクション空洞移動ミキサーを備えたボストン・マシュース（Ｂｏｓｔｏｎ  Ｍａｔｈｅｗｓ）単軸スクリュー押出機を用いて配合した。得られた配合物を次に射出成形してさらなる試験のためのプラークを形成した。
【００２８】
（プラーク貫通加熱温度の測定手順）
ポリプロピレン・プラーク貫通加熱温度測定を次の通り行った：
直径百ミリメートル（１００ｍｍ）および断面厚さ４ミリメートル（４ｍｍ）のポリプロピレン・プラークを使用して様々なポリプロピレン組成物について再加熱時間を評価した。再加熱剤を含有するポリマー組成物の各ポリプロピレン・プラークおよび相当する対照組成物の各プラークを、イタリア国ミラノのネグリ・ボッシ（Ｎｅｇｒｉ  Ｂｏｓｓｉ  ｏｆ  Ｍｉｌａｎ  Ｉｔａｌｙ）から入手可能なＮＢ９０ネグリ・ボッシ９０ｔｅ射出成形装置を用いて標準射出成形法によって作製した。サンプルおよび対照プラークのすべてを、正確に同じ寸法（直径１００ｍｍおよび断面厚さ４ｍｍ）に作製した。プラークはきれいにされ、表面汚染物質なしであり、平坦な上面および下面を有した。
【００２９】
図２に略例示されるように、フィリップス（Ｐｈｉｌｌｉｐｓ）によって製造された３００ワット電球である単一のＩＲ放射ランプ２２ａを、プラーク２６の一面を加熱するために置いた。一連の扁平な熱電対を、輻射および伝導温度を測定するためにプラーク２６の反対側上に置いた。温度測定装置は、ＰＥ１９  １ＱＢ、セント．ネオツ、ケンブリッジ・ストリート、ミル  ハウスのピコ・テクノロジー・リミティッド（Ｐｉｃｏ  Ｔｅｃｈｎｏｌｏｇｙ  Ｌｉｍｉｔｅｄ  ｏｆ  Ｔｈｅ  Ｍｉｌｌ  Ｈｏｕｓｅ，Ｃａｍｂｒｉｄｇｅ  Ｓｔｒｅｅｔ，Ｓｔ．Ｎｅｏｔｓ，ＰＥ１９  １ＱＢ）製のＴＣ−０８  ８チャネル熱電対記録計（ＴＣ−０８  ８  ｃｈａｎｎｅｌ  ｔｈｅｒｍｏｃｏｕｐｌｅ  ｄａｔａ  ｌｏｇｇｅｒ）であり、温度測定ソフトウェアはＴＣ−０８装置と共に供給されたピコ・テクノロジー・リミティッド所有権のプログラムであった。プラークは赤外ランプの底部の下方１６５ｍｍにあった。この試験方法は、加熱される側面からプラークを通って移動した熱の量を反映する。温度は、各試験サンプルからのおよび標準対照プラークからの５つの異なるプラークに関する５測定値の平均として記録された。本発明らは、このプラーク貫通熱方法からのデータが典型的な射出延伸ブロー成形法によって加工されるプリフォームのような物品中での、または再加熱方法とそれに続く熱成形のような物理成形とによって加工される物品についての熱移動および熱分布をより現実的に表すと考えている。
【００３０】
測定装置を、明確な組成の対照プラークを用いることによって較正した。これらの対照プラークは繰り返し試験され、一定の再加熱測定値を示した。次に、比較のために試験したプラークについての再加熱時間を対照に関連して表した。２つの測定値：（１）プラークを８０℃に加熱するための時間（秒）、および（２）３００秒加熱時間後のプラークの温度を用いた。本発明らは、適切な比較のためには本方法で使用したプラークが同じ出発周囲温度を有するべきであることを見いだした。新たに成形したプラークは、試験前に十分な時間で室温まで冷却されるべきである。本発明らの試験では、新たに成形したプラークは、再加熱試験を行う前に少なくとも３０分間室温で放冷した。
【００３１】
図４、５および６について言及すると、ポリプロピレン対照からおよび異なる量のアンチモンまたはカーボンブラックを含有するポリプロピレン組成物から形成されたプラークについての再加熱プロフィールを評価した。
【００３２】
図４の再加熱試験については、試験した組成物は、Ｓｂ１：等しい重量部のアンチモントリグリコレートと次亜リン酸との還元反応によって形成された２５ｐｐｍアンチモン；Ｓｂ２：粒度範囲６００ｎｍ〜２ミクロンの２５ｐｐｍアンチモン金属（破砕された）；ＣＢ１：２５ｐｐｍの４０ｎｍカーボンブラック；およびＣＢ２：２５ｐｐｍのより大きな粒度６〜３０ミクロンカーボンブラックであった。再加熱剤はすべて、ポリプロピレンの重量を基準にして、同じ量、２５ｐｐｍで使用した。図４に示すように、再加熱剤を組み入れたポリプロピレン・プラークはすべて再加熱剤なしの対照ポリプロピレンより迅速に再加熱された。すべてが３００〜３６０秒内に所望の８０℃再加熱温度に達したが、対照はこの再加熱温度に達するためには４８０秒より多くを要した。それは３０％〜３５％またはそれより良好な再加熱時間の減少を表す。
【００３３】
図５および６は、対照と様々な量のアンチモンまたはカーボンブラックを含有するポリプロピレンとについて８０℃への再加熱時間を比較する。図５および６では、再加熱剤は、Ｓｂ１：等しい重量部のアンチモントリグリコレートと次亜リン酸とを使用して形成されたＳｂとして１０ｐｐｍ；Ｓｂ２：２５ｐｐｍアンチモン金属（破砕された）；ＣＢ１：４０ｎｍカーボンブラック；およびＣＢ２：より大きな粒度６００ｎｍ〜２ミクロンカーボンブラックであった。アンチモンおよびカーボンブラックの両方とも再加熱時間を効果的に減らすことができるが（図５）、カーボンブラックは低レベルでかなりより暗い着色（対照Ｌ＊が７５である場合に６０よりかなり下のＬ＊）をもたらし得るし（図６）、それはポリプロピレン組成物のための再加熱剤としてのその使用を美感的に損ね得る。ポリプロピレン中に２〜３５０ｐｐｍ、最も好ましくは１０〜３０ｐｐｍのアンチモン含有率をもたらすトリグリコレートと次亜リン酸との組合せが特に効果的であった。
【００３４】
ポリプロピレン組成物中への再加熱剤の導入は、最終容器、物品またはボトル製品の望ましくない着色をもたらし得る。再加熱剤によって誘発される着色の程度は、使用される該剤のタイプおよび量に依存して変わる。所与の再加熱剤について、より少ない量の該剤が使用されるほど、最終製品で着色は少なくなるであろう。使用される再加熱剤の量が望まれない着色を許容されるレベルまで最小にするのに十分なほど低い場合、当該量は再加熱時間を減らすのに十分でないかもしれない。それ故、課題は、再加熱時間を効果的に減らし、かつ、最小着色の最終容器、物品またはボトルをそれでもなお製造することができる再加熱剤を見いだすことである。
【００３５】
本発明らは、異なる再加熱剤によって引き起こされるポリプロピレン組成物の着色を評価するためにガードナー色彩計からの色測定値（Ｌ＊）を用いた。色測定値（Ｌ＊）は試験材料による光の吸収および散乱を反映する。ガードナーＢＹＫ色−視分光光度計（Ｇａｒｄｎｅｒ  ＢＹＫ  Ｃｏｌｏｒ−Ｖｉｅｗ  ｓｐｅｃｔｒｏｐｈｏｔｏｍｅｔｅｒ）モデルＮｏ．９０００は、ＢＹＫガードナー社、米国メリーランド州コロンビア（ＢＹＫ  Ｇａｒｄｎｅｒ，Ｉｎｃ．，Ｃｏｌｕｍｂｉａ，Ｍａｒｙｌａｎｄ  ＵＳＡ）から入手可能である。Ｌ＊値を、異なる量で異なる再加熱剤を含有するポリプロピレン組成物から作製したポリプロピレン・プラークについて測定した。
【００３６】
図６に示すＬ＊測定値は、ポリプロピレン・プラークの着色とそれからプラークが作製されたポリプロピレン組成物中の再加熱剤の量との関係を例示する。対照プラークは、再加熱剤の添加なしのポリプロピレンであった。対照プラークは約７５のＬ＊値を有した。ポリプロピレン組成物がより少ない着色を有するほど、そのＬ＊値は対照のそれに近くなる。図６に示すように、１０ｐｐｍアンチモン入りポリプロピレン組成物（組成物Ｓｂ１）は、いかなる再加熱剤もなしのポリプロピレン（対照）のそれに最も近い美観特性を有した。これらの実施例では、ポリプロピレン対照についての約７５のＬ＊と比べて約６０以上のＬ＊値を有するサンプルは、対照のＬ＊値の少なくとも８０％である色美観を有した。
【００３７】
下の表１は、再加熱時間の減少によるエネルギー節約とこれら幾つかの試験したポリプロピレン組成物の相対的色美観とをまとめる。
【００３８】
【表１】
2006520709.tif 000003
【００３９】
【表２】
2006520709.tif 000004
【００４０】
（ブローイング試行詳細）
ブローイング試行のためのプリフォームを、実験室規模の組合せ射出成形・ブローイング機で製造した。プリフォームを典型的なポリプロピレン加工条件で射出成形した−溶融温度は２２０℃であり、金型温度は１５℃であり、サイクル時間は２７秒であった。その時本発明らは、特にポリプロピレン用にデザインされた別個の実験室ブローイング機を用いた。このブローイング機は、それぞれが１０，０００ワット加熱能力を有し、それぞれが強制空気換気装置を備えた２つの加熱オーブンを有した。幾つかの回転するプリフォーム・ホルダーを用いて空隙によって分離された２つのオーブンによってプリフォームを割り出しした。各プリフォームを約６０〜８０秒で第１オーブンによって割り出しした。次に、プリフォームを空隙によって割り出しして加熱されたプリフォームを約６０〜８０秒間平衡するにまかせた。次に、プリフォームを約６０〜８０秒間第２オーブンによって割り出しし、次に、空気中でさらなる１０秒間割り出しの後に、それをブローイング・ステーションに送付した。
【００４１】
エネルギー削減実験については、機械割り出し速度を一定の時間出力当たり７５０ボトルに設定し、オーブン設定値を、各サンプルが最適射出成形ボトルを与えるように調節した（減らした）。次に、エネルギー削減を、対照ボトルを再加熱するために必要とされる加熱エネルギーの量対再加熱剤を含有するポリプロピレン組成物から形成されたボトルを再加熱するために必要とされる加熱エネルギーのより少ない量に基づいて計算した。表１に、エネルギー削減を百分率として表す。
【００４２】
サイクル時間削減実験については、両オーブンを一定の８９００ワット出力に（組み合わせた１７，８００ワット出力のために）設定した。次に、プリフォームがボトルの最適ブローイングを可能にするのに十分なほど加熱されるまでサイクル時間を増やした。各サンプルの増やされたサイクル時間を対照サイクル時間に対して計算し、百分率として表した。
【００４３】
表１の結果は、アンチモントリグリコレートと次亜リン酸とから生み出された１０ｐｐｍＳｂの使用がプリフォーム再加熱エネルギーとサイクル時間とを５ｐｐｍカーボンブラックと同じレベルまで減らしたが、アンチモンを含有するポリプロピレン顆粒の色および視覚美観がカーボンブラックを含有する顆粒よりはるかに良好であったことを示す。このように、アンチモン入りポリプロピレン組成物から形成される生成ボトルは、５ｐｐｍまたは１０ｐｐｍカーボンブラックを含有するポリプロピレン組成物から形成されるボトルが有したよりも良好な色および視覚美観を有した。
【００４４】
再加熱剤入りプリフォームは対照プリフォームと比べて約１０％〜３０％、好ましくは１５％〜２０％の範囲のエネルギー削減と、約２５％〜３５％の範囲のサイクル時間削減とを生み出した（表１を参照されたい）。このように、再加熱剤入りポリプロピレン組成物は、再加熱時間を短縮し、許容される色および視覚美観のボトルをそれでもなお生み出す。
【００４５】
本発明らは、異なるタイプのアンチモン試薬の再加熱および美観特性をさらに調査した。より具体的には、本発明らは、異なる濃度でアンチモントリグリコレート、三酸化アンチモンおよび三酢酸アンチモンを試験した。本発明らは、他の再加熱剤の再加熱および美観特性をさらに調査した。本発明らはまた、再加熱剤とポリプロピレンとの異なる混合方法、すなわち、ポリプロピレン顆粒への直接施用による、およびポリプロピレン顆粒と高濃度の再加熱剤を含有するマスターバッチ顆粒との混合による方法をも試験した。再加熱剤について、異なる投与量の異なる亜リン酸もまた試験した。これらの結果のまとめについては下の表２および３を参照されたい。
【００４６】
本発明らは、再加熱剤としてのアンチモンの添加が美観の観点からカーボンブラックより好ましいことを見いだした。本発明らは、リン酸、好ましくは次リン酸と組み合わせたアンチモン化合物の添加がポリプロピレン組成物中に金属粒子をより完全に分散させることを見いだした。最後に、ポリプロピレン組成物中に２ｐｐｍ〜３５０ｐｐｍアンチモン金属粒子をもたらすアンチモントリグリコレート、三酸化アンチモンまたは三酢酸アンチモンと次リン酸との組合せが再加熱性能および色美観について最良の結果を達成した。
【００４７】
（プラーク表面再加熱温度の測定手順）
表１、２および３に明記されるようなポリプロピレン組成物から射出成形したプラークを、ＩＲ加熱ランプ（２４００°Ｋでフィリップス製の１７５ワットランプ・モデルＩＲ−１７５Ｃ−ＰＡＲ）（例えば、図２Ａを参照されたい）により発せられる放射線によって加熱している間ずっと回転させた。赤外線高温計（ミノルタ・ランド（Ｍｉｎｏｌｔａ  Ｌａｎｄ）製のモデル番号サイクロップス（Ｃｙｃｌｏｐｓ）３００ＡＦ）（図２に示されていない）をＩＲランプに関してプラークの反対側に置いた。プラークの表面温度を監視し、再加熱の間ずっと記録した。
【００４８】
試験したプラークは、様々な量で、アンチモン（Ｓｂ）、マンガン（Ｍｎ）、鉄（Ｆｅ）、チタン（Ｔｉ）、タングステン（Ｗ）、銅（Ｃｕ）、グラファイト、赤外線染料およびカーボンブラックのような様々な再加熱剤を含有した。結果を下の表２および３に報告する。表２および３に示す組成物については、対照は、再加熱添加剤なしのポリプロピレンから作製されたプラークであった。試験した再加熱剤のすべてが対照ポリプロピレンと比べてプラーク表面再加熱時間を改善した。しかしながら、再加熱剤の幾つかは、ポリプロピレン顆粒（およびプラーク）中へ組み入れられた時にターゲットＬ＊（対照の８０％）よりはるかに低いＬ＊値を有し、従ってボトルの射出延伸ブロー成形での使用に好適なものではないかもしれない。これらの組成物は、熱成形技術で他のポリプロピレン物品を製造する時に有用性をそれでもなお有するかもしれない。
【００４９】
再加熱剤を含む幾つかのポリプロピレン組成物についての表面再加熱時間のデータを、対照Ｃ１と比較して、図３にグラフで示す。
【００５０】
【表３】
2006520709.tif 000005
【００５１】
【表４】
2006520709.tif 000006
【００５２】
【表５】
2006520709.tif 000007
【００５３】
本発明による再加熱剤入りポリプロピレン組成物は、対照組成物の再加熱時間と比べて、好ましくは再加熱時間の少なくとも１０％減少、より好ましくは再加熱時間の少なくとも２５％減少、最も好ましくは再加熱時間の少なくとも３５％減少をもたらす。従って、表２および３から、３７５秒以下、特に３００秒以下の８０℃への再加熱時間を有する再加熱剤入りポリプロピレン組成物が最も有利であった。
【００５４】
本発明は好ましい実施形態の詳細な説明および実施例によって例示されてきた。形態および詳細の様々な変更は当業者の技能内であろう。それ故、本発明は特許請求の範囲によって判定されなければならず、実施例または好ましい実施形態の説明によって判定されてはならない。
【図面の簡単な説明】
【００５５】
【図１Ａ】ボトル製造のための射出延伸ブロー成形法での典型的な工程の略図である。
【図１Ｂ】ボトル製造のための射出延伸ブロー成形法での典型的な工程の略図である。
【図１Ｃ】ボトル製造のための射出延伸ブロー成形法での典型的な工程の略図である。
【図１Ｄ】ボトル製造のための射出延伸ブロー成形法での典型的な工程の略図である。
【図２】その装置がポリマーの貫通加熱時間を測定するために用いられてもよい、ポリマー・プラークを単一ＩＲランプで加熱するための装置を示す略図である。
【図３】異なるポリプロピレン組成物で形成されたプラークで行われたプラーク表面再加熱実験について再加熱時間にわたるプラーク温度データのグラフである。
【図４】プラークを形成するポリプロピレン組成物中の再加熱剤の量との関係でポリプロピレン・プラークをターゲット温度（すなわち、８０℃）まで貫通加熱するために必要とされる時間の変動を示すデータのグラフである。
【図５】再加熱時間（８０℃への秒）対プラークを形成するポリプロピレン組成物に添加された再加熱剤の量を比較するデータのグラフである。
【図６】Ｌ＊（色の程度についての）対プラークを形成するポリプロピレン組成物に添加された再加熱剤の量を比較するデータのグラフである。
【図１Ａ】
2006520709.tif 000008
【図１Ｂ】
2006520709.tif 000009
【図１Ｃ】
2006520709.tif 000010
【図１Ｄ】
2006520709.tif 000011
【図２】
2006520709.tif 000012
【図３】
2006520709.tif 000013
【図４】
2006520709.tif 000014
【図５】
2006520709.tif 000015
【図６】
2006520709.tif 000016
【手続補正書】
【提出日】平成17年4月11日(2005.4.11)
【手続補正１】
【補正対象書類名】特許請求の範囲
【補正対象項目名】全文
【補正方法】変更
【補正の内容】
【特許請求の範囲】
【請求項１】
（ａ）再加熱剤を含有するポリプロピレン組成物からプリフォームを形成する工程と、
（ｂ）前記プリフォームが所望の温度に達する時間が前記再加熱剤なしのポリプロピレン組成物から形成されている等しい寸法の対照プリフォームを所望の温度に再加熱するための時間より少ない、前記プリフォームを所望の温度に再加熱する工程と、
（ｃ）前記再加熱されたプリフォームを射出延伸ブロー成形してボトルを形成する工程と
を含むポリプロピレンボトルの射出延伸成形法であって、
再加熱剤を含有する前記ポリプロピレン組成物が、前記プリフォームを形成する前に顆粒形にある時に、前記再加熱剤の不存在下での顆粒形のポリプロピレン組成物のＬ＊値の少なくとも約８０％である、ガードナー（Ｇａｒｄｎｅｒ）色試験によって測定されるＬ＊値を有することを特徴とする方法。
【請求項２】
前記再加熱剤が１つまたは複数の金属粒子を含み、かつ、前記金属粒子がアンチモン、チタン、銅、マンガン、鉄およびタングステンの１つまたは複数よりなる群から選択されることを特徴とする請求項１に記載の方法。
【請求項３】
前記再加熱剤がカーボンブラック、グラファイトまたは赤外線染料を含むことを特徴とする請求項１に記載の方法。
【請求項４】
前記再加熱剤が１０ｎｍ〜１００ミクロンの範囲のサイズを有する粒子の形で、かつ、２ｐｐｍ〜１０００ｐｐｍの範囲の量でポリプロピレン組成物中へ組み入れられることを特徴とする請求項１に記載の方法。
【請求項５】
前記再加熱剤が１０ｎｍ〜１０ミクロンの範囲のサイズを有する粒子の形で、かつ、２ｐｐｍ〜５０ｐｐｍの範囲の量でポリプロピレン組成物中へ組み入れられることを特徴とする請求項１に記載の方法。
【請求項６】
前記再加熱剤が還元剤による金属化合物のインサイチュー化学的還元によって前記ポリプロピレン組成物内に生成されることを特徴とする請求項１に記載の方法。
【請求項７】
前記金属化合物がアンチモン、チタン、銅、マンガン、鉄およびタングステンの１つまたは複数を含有し、かつ、前記還元剤が有機亜リン酸、無機亜リン酸、タンニン酸、没食子酸、およびピロガル酸、ヒドラジン、亜硫酸塩、錫ＩＩ塩ならびに水酸化ニッケルの１つまたは複数よりなる群から選択されることを特徴とする請求項６に記載の方法。
【請求項８】
前記金属化合物がアンチモントリグリコレートであり、かつ、前記還元剤が次亜リン酸であることを特徴とする請求項６に記載の方法。
【請求項９】
前記再加熱剤が１０ｎｍ〜１００ミクロンの範囲のサイズを有する粒子の形で、かつ、５０ｐｐｍ〜２５，０００ｐｐｍの範囲の量で前記ポリプロピレン組成物中へ組み入れられてポリプロピレン・マスターバッチを形成することを特徴とする請求項１に記載の方法。
【請求項１０】
請求項１に記載の方法に従って製造されることを特徴とするポリプロピレンボトル。
【請求項１１】
ポリプロピレン組成物を形成するためのポリプロピレン中への再加熱剤の反応押出配合であって、前記再加熱剤が還元剤による金属化合物の金属状態へのインサイチュー化学的還元によってかかる反応押出配合中に生成され、そのように生成された前記再加熱剤が１０ｎｍ〜１００ミクロンの範囲のサイズを有する粒子の形にあり、かつ、かかる粒子が前記ポリプロピレンの全体にわたって一様に分配される配合
を含むことを特徴とする再加熱剤を含有するポリプロピレン組成物の製造方法。
【請求項１２】
前記再加熱剤が１つまたは複数の金属粒子を含み、かつ、前記金属粒子がアンチモン、チタン、銅、マンガン、鉄およびタングステンの１つまたは複数よりなる群から選択されることを特徴とする請求項１１に記載の方法。
【請求項１３】
前記再加熱剤が、２ｐｐｍ〜１０００ｐｐｍの範囲の量で前記ポリプロピレン中へ組み入れられることを特徴とする請求項１１に記載の方法。
【請求項１４】
前記再加熱剤が１０ｎｍ〜１０ミクロンの範囲の粒度を有する粒子の形で、かつ、２〜３５０ｐｐｍの範囲の量で前記ポリプロピレン中へ組み入れられることを特徴とする請求項１１に記載の方法。
【請求項１５】
前記再加熱剤が１０ｎｍ〜１００ミクロンの範囲の粒度を有する粒子の形で、かつ、５０〜２５，０００ｐｐｍの範囲の量で前記ポリプロピレン中へ組み入れられてポリプロピレン・マスターバッチを形成することを特徴とする請求項１１に記載の方法。
【請求項１６】
前記金属化合物がアンチモン、チタン、銅、マンガン、鉄およびタングステンの１つまたは複数を含有し、かつ、前記還元剤が有機亜リン酸、無機亜リン酸、タンニン酸、没食子酸、およびピロガル酸、ヒドラジン、亜硫酸塩、錫ＩＩ塩ならびに水酸化ニッケルの１つまたは複数よりなる群から選択されることを特徴とする請求項１１に記載の方法。
【請求項１７】
前記金属化合物がアンチモントリグリコレートであり、かつ、前記還元剤が次亜リン酸であることを特徴とする請求項１１に記載の方法。
【請求項１８】
請求項１１に記載の方法に従って製造されることを特徴とするポリプロピレン組成物。
【請求項１９】
請求項１１に記載の方法に従って製造されたポリプロピレン組成物から形成されることを特徴とするポリプロピレンボトル。
【請求項２０】
請求項１５に記載の方法に従って製造されることを特徴とするポリプロピレン・マスターバッチ。
【請求項２１】
（ａ）再加熱剤を含有するポリプロピレン組成物からシートを形成する工程と、
（ｂ）前記シートが所望の温度に達する時間が前記再加熱剤の不存在下でのポリプロピレン組成物から形成されている等しい寸法の対照シートを所望の温度に再加熱するための時間より少ない、前記シートを所望の温度に再加熱する工程と、
（ｃ）前記再加熱されたシートをポリプロピレン物品へ成形する工程と
を含むことを特徴とするポリプロピレン物品の形成方法。
【請求項２２】
前記再加熱剤が１つまたは複数の金属粒子を含み、かつ、前記金属粒子がアンチモン、チタン、銅、マンガン、鉄およびタングステンの１つまたは複数よりなる群から選択されることを特徴とする請求項２１に記載の方法。
【請求項２３】
前記再加熱剤がカーボンブラック、グラファイトまたは赤外線染料を含むことを特徴とする請求項２１に記載の方法。
【請求項２４】
前記再加熱剤が１０ｎｍ〜１００ミクロンの範囲のサイズを有する粒子の形で、かつ、２ｐｐｍ〜１０００ｐｐｍの範囲の量で前記ポリプロピレン組成物中へ組み入れられることを特徴とする請求項２１に記載の方法。
【請求項２５】
前記再加熱剤が１０ｎｍ〜１０ミクロンの範囲のサイズを有する粒子の形で、かつ、２ｐｐｍ〜５０ｐｐｍの範囲の量で前記ポリプロピレン組成物中へ組み入れられることを特徴とする請求項２１に記載の方法。
【請求項２６】
前記再加熱剤が還元剤による金属化合物のインサイチュー化学的還元によって前記ポリプロピレン組成物内に生成されることを特徴とする請求項２１に記載の方法。
【請求項２７】
前記金属化合物がアンチモン、チタン、銅、マンガン、鉄およびタングステンの１つまたは複数を含有し、かつ、前記還元剤が有機亜リン酸、無機亜リン酸、タンニン酸、没食子酸、およびピロガル酸、ヒドラジン、亜硫酸塩、錫ＩＩ塩ならびに水酸化ニッケルの１つまたは複数よりなる群から選択されることを特徴とする請求項２６に記載の方法。
【請求項２８】
前記金属化合物がアンチモントリグリコレートであり、かつ、前記還元剤が次亜リン酸であることを特徴とする請求項２６に記載の方法。
【請求項２９】
前記再加熱剤が１０ｎｍ〜１００ミクロンの範囲のサイズを有する粒子の形で、かつ、５０ｐｐｍ〜２５，０００ｐｐｍの範囲の量で前記ポリプロピレン組成物中へ組み入れられてポリプロピレン・マスターバッチを形成することを特徴とする請求項２１に記載の方法。
【請求項３０】
請求項２１に記載の方法に従って製造されることを特徴とする３次元ポリプロピレン物品。
【請求項３１】
請求項２１に記載の方法に従って製造されることを特徴とする２次元ポリプロピレン物品。
【請求項３２】
かかる反応押出配合が二軸スクリュー配合押出機で行われることを特徴とする請求項１１に記載の方法。
【手続補正２】
【補正対象書類名】明細書
【補正対象項目名】００４６
【補正方法】変更
【補正の内容】
【００４６】
本願発明者らは、再加熱剤としてのアンチモンの添加が美観の観点からカーボンブラックより好ましいことを見いだした。本発明らは、リン酸、好ましくは次亜リン酸と組み合わせたアンチモン化合物の添加がポリプロピレン組成物中に金属粒子をより完全に分散させることを見いだした。最後に、ポリプロピレン組成物中に２ｐｐｍ〜３５０ｐｐｍアンチモン金属粒子をもたらすアンチモントリグリコレート、三酸化アンチモンまたは三酢酸アンチモンと次亜リン酸との組合せが再加熱性能および色美観について最良の結果を達成した。


【国際調査報告】
2006520709.tif 000017
2006520709.tif 000018